(57)【特許請求の範囲】
【請求項１】
物体側から順に、負レンズからなる前側レンズ群と、光路変換素子と、明るさ絞りと、正の屈折力を有する後側レンズ群と、から構成され、
前記後側レンズ群は、正レンズと、正の屈折力を有する接合レンズと、からなり、
前記接合レンズは、物体側から順に、正レンズと負レンズとで構成され、
以下の条件式（１）、（２）、（３）、（４）、（５）を満足することを特徴とする斜視対物光学系。
−２．０＜ｆF／ｆ＜−１．３      （１）
１．７＜ｆR／ｆ＜２．７      （２）
０．６３＜｜ｆF／ｆR｜＜０．８８      （３）
２．４＜Ｄ１／ｆ＜４．４      （４）
１．１＜Ｄ２／ｆ＜１．７      （５）
ここで、
ｆFは、前記前側レンズ群の焦点距離、
ｆRは、前記後側レンズ群の焦点距離、
ｆは、前記斜視対物光学系全系の焦点距離、
Ｄ１は、前記前側レンズ群の前記負レンズの像側面から前記明るさ絞りまでの空気換算長、
Ｄ２は、前記後側レンズ群の最終レンズの像側面から像面までの空気換算長、
である。
【請求項２】
請求項１に記載の斜視対物光学系を備えることを特徴とする斜視用内視鏡。
【発明の詳細な説明】
【技術分野】
【０００１】
本発明は、光路変換素子を具備した斜視対物光学系及びそれを備えた斜視用内視鏡に関するものである。
【背景技術】
【０００２】
近年、ＣＣＤ（Charge  Coupled  Devices）やＣ−ＭＯＳ（Complementary  Metal  Oxide  Semiconductor）等の撮像素子では、微細化技術の進歩によって、画素の微細化と素子自体の小型化が進んでいる。特に最近では、非常に微細な画素を持つ撮像素子、例えば、画素ピッチが約２〜３μｍという撮像素子が製造されてきている。このように、近年の撮像素子は、以前に比べて多画素で小型になってきている。【０００３】
また、光学系のレンズ外径や全長を小型化すると、光学系から出射する光線を、撮像素子の受光面に対して垂直に入射させることが困難になる。この場合、光線は受光面に対して斜めに入射する（以下、「斜入射」という）。そのため、近年のＣＣＤやＣ−ＭＯＳ等の撮像素子は、受光面への最適な光線の入射が斜入射であることを前提として設計されている。このように、近年の撮像素子は斜入射特性を有している。【０００４】
多画素で小型な撮像素子を内視鏡に用いることで、画像の高画質化と内視鏡の細径化が可能になる。それに伴って、内視鏡用の対物光学系には、高性能で小型の対物光学系が求められることになる。高性能な光学系とは、例えば、分解能が高く、収差が良好に補正されている光学系である。【０００５】
内視鏡用の対物光学系の一つに、斜視対物光学系がある。斜視対物光学系では、前方視、側方視又は後方視が行われる。【０００６】
図１は、従来の斜視対物光学系の例である。斜視対物光学系１は、側方視を行う斜視対物光学系である。斜視対物光学系１は、前側レンズ群２、プリズム３及び後側レンズ群４で構成されている。斜視対物光学系１では、プリズム３によって、前側レンズ群２の光軸と後側レンズ群４の光軸とが直交した状態になっている。【０００７】
図２は、従来の斜視対物光学系の別の例である。斜視対物光学系５は、前方視を行う斜視対物光学系である。斜視対物光学系５は、前側レンズ群６、プリズム７及び後側レンズ群８で構成されている。斜視対物光学系５では、プリズム７によって、前側レンズ群６の光軸と後側レンズ群８の光軸とが交差した状態（ただし、直交状態ではない）になっている。【０００８】
図１や図２に示すように、斜視対物光学系では、大きな硝路長の光路変換素子が光学系中に配置される。そのため、特に斜視対物光学系では、光路変換素子、例えばプリズムを配置するための大きなスペースが必要となる。その結果、斜視対物光学系では、直視の対物光学系に比べて光学系の全長が長くなる。このように、斜視対物光学系は、直視の対物光学系に比べて大型になる傾向があるため、斜視対物光学系には一層の小型化が要求される。特許文献１〜５には、斜視対物光学系が開示されている。【０００９】
特許文献１に開示された斜視対物光学系は、前群発散レンズ系と、後群収斂レンズ系と、で構成されている。この斜視対物光学系は、イメージファイバに用いられることを前提とした光学系である。そのため、この斜視対物光学系では、斜視対物光学系から出射する光線を、ファイバの入射端面に対してほぼ垂直に入射できるようにしている。【００１０】
特許文献２に開示された斜視対物光学系は、１枚の負レンズからなる第１レンズ群と、正の屈折力を有する第２レンズ群と、で構成されている。この斜視対物光学系では、色収差補正のために、第１レンズ群の負レンズとプリズムに、分散が小さい硝材（アッベ数が大きい硝材）が用いられている。【００１１】
特許文献３に開示された斜視対物光学系は、負の焦点距離を有する前群と、正の焦点距離を有する後群と、で構成されている。【００１２】
特許文献４に開示された斜視対物光学系は、負の屈折力の単レンズからなる第１レンズ群と、正の屈折力を有する第２レンズ群と、正の屈折力を有する第３レンズ群と、で構成されている。この斜視対物光学系では、第３レンズ群を、物体側から順に、負レンズと正レンズからなる接合レンズで構成している。このようにすることで、テレセントリック性を確保している。すなわち、特許文献４に開示された斜視対物光学系では、斜視対物光学系から出射する光線を、ＣＣＤの受光面に対してほぼ垂直に入射できるようにしている。【００１３】
特許文献５に開示された斜視対物光学系は、負の第１群と、正の第２群と、から構成されている。【００１４】
ところで、斜視対物光学系や直視の対物光学系では、光学系は枠部材によって保持されている。光学系は、組立時に、枠部材を介して組立用の治工具に取り付けられる。また、組立てられた後の光学系は、枠部材を介して内視鏡先端部へ組込まれる。そのため、枠部材の嵌合部については、ある程度の長さを確保する必要がある。【００１５】
図３は、斜視対物光学系の枠部材の例である。斜視対物光学系９は、側方視を行う斜視対物光学系である。斜視対物光学系９は、前側レンズ群１０、プリズム１１及び後側レンズ群１２で構成されている。斜視対物光学系９では、プリズム１１における１回の反射によって、前側レンズ群１０の光軸と後側レンズ群１２の光軸とが直交した状態になっている。【００１６】
斜視対物光学系９では、前側レンズ群１０とプリズム１１が枠部材１３で保持され、後側レンズ群１２が枠部材１４で保持されている。また、撮像素子１５が枠部材１６で保持されている。【００１７】
図４と図５は、斜視対物光学系の枠部材の別の例である。斜視対物光学系１７や斜視対物光学系１８は、前方視を行う斜視対物光学系である。斜視対物光学系１７や斜視対物光学系１８では、プリズムにおける２回の反射によって、前側レンズ群の光軸と後側レンズ群の光軸とが交差した状態になっている。斜視対物光学系１７では２つの枠部材が用いられ、斜視対物光学系１８では３つの枠部材が用いられている。
【先行技術文献】
【特許文献】
【００１８】
【特許文献１】特開昭５１−６２０５３号公報
【特許文献２】特許３３８５０９０号公報
【特許文献３】特許３５７４４８４号公報
【特許文献４】特許４４３９１８４号公報
【特許文献５】特許４８１４７４６号公報
【発明の概要】
【発明が解決しようとする課題】
【００１９】
特許文献１に開示された斜視対物光学系は光学系全体が大きく、また、光学性能も不十分である。そのため、特許文献１に開示された斜視対物光学系を、多画素で小型なＣＣＤ等の撮像素子への適用が可能な斜視対物光学系、すなわち、高性能化と小型化に対応した斜視対物光学系に適用することはできない。【００２０】
また、特許文献２に開示された斜視対物光学系では、色収差補正のために、第１レンズ群の負レンズとプリズムの各々に、低屈折率の硝材が用いられている。この場合、特に、明るさ絞りよりも物体側の空気換算長が長くなる。その結果、負レンズの外径やプリズムの外径が大きくなってしまう。そのため、特許文献２に開示された斜視対物光学系を、高性能化と小型化に対応した斜視対物光学系へ適用することはできない。【００２１】
また、特許文献３に開示された斜視対物光学系では、バックフォーカスが長いため光学系全体が大型化してしまう。また、前群における負レンズの焦点距離が短いので、前群の負の屈折力が大きい。しかしながら、バックフォーカスが長いため、接合レンズの焦点距離が長くなっている。このように、光学系全体での屈折力のバランスが悪いため、光学性能が十分ではない。そのため、特許文献３に開示された斜視対物光学系を、高性能化と小型化に対応した斜視対物光学系へ適用することはできない。【００２２】
また、特許文献４に開示された斜視対物光学系では、テレセントリック性が確保されている。しかしながら、近年の撮像素子は斜入射特性を有しているので、光学系においてテレセントリック性が確保されている必要が無い。特許文献４に開示された斜視対物光学系では、斜視対物光学系から出射する光線の角度は、撮像素子の斜入射特性を満足する角度からむしろ乖離してしまう。その結果、画像の周辺部に、明るさのムラや色のムラが生じてしまう。そのため、特許文献４に開示された斜視対物光学系を、高性能化と小型化に対応した斜視対物光学系へ適用することはできない。【００２３】
また、特許文献５に開示された斜視対物光学系では、画角が大きいため、第１群の焦点距離が短くなっている（第１群の負屈折力が大きくなっている）。一方、フィルタ類を配置するためには、光学系の全長とバックフォーカスを長くする必要があることから、第２群の焦点距離が長くなっている（第２群の正屈折力が小さくなっている）。これだと、負屈折力と正屈折力のバランスが崩れてしまうので、像面湾曲及び非点収差が発生してしまう。さらに、特許文献５に開示された斜視対物光学系では、像高が高いので、第２群のレンズ外径も大きくなっている。そのため、特許文献５に開示された斜視対物光学系を、高性能化と小型化に対応した斜視対物光学系へ適用することはできない。【００２４】
以上のように、特許文献１〜５に開示された斜視対物光学系では、高性能化と小型化に対応した斜視対物光学系を実現することは難しい。【００２５】
また、図３に示すように、枠部材１３と枠部材１４は、嵌合部１３ａと嵌合部１４ａとで接続されている。斜視対物光学系９の組立時、枠部材１３と枠部材１４は、各々治工具によって保持される。そして、両者の相対位置が調整された後、固定される。【００２６】
ここで、斜視対物光学系９が小型になると、枠部材１３と枠部材１４も短くなる。枠部材１３と枠部材１４が短くなり過ぎると、枠部材１３を保持する治工具と枠部材１４を保持する治工具とが干渉してしまう。そのため、斜視対物光学系９の組立てができなくなる。【００２７】
また、斜視対物光学系９が小型になると、嵌合部１３ａの長さと嵌合部１４ａの長さを、各々十分に確保することが困難になる。この場合、枠部材１３と枠部材１４を、予め決められた状態に保つことが困難になる。そのため、斜視対物光学系９を精度良く組立てることができない。【００２８】
枠部材１４と枠部材１６は、嵌合部１４ｂと嵌合部１６ａとで接続されている。斜視対物光学系９が小型になると、枠部材１４と枠部材１６についても上述の問題が生じる。【００２９】
また、斜視対物光学系９は、枠部材１３の嵌合部１３ｂを介して内視鏡先端部へ組込まれる。斜視対物光学系９が小型になると、嵌合部１３ｂの長さを十分に確保することが困難になる。この場合、内視鏡先端部に対して、枠部材１３を予め決められた状態に保つことが困難になる。そのため、斜視対物光学系９を内視鏡先端部に精度良く取り付けることができない。【００３０】
また、図４と図５に示すように、斜視対物光学系１７では２つの枠部材が用いられ、斜視対物光学系１８では３つの枠部材が用いられている。よって、これらの斜視対物光学系においても、上述の問題が生じる。【００３１】
本発明は、このような問題点に鑑みてなされたものであり、組立てや内視鏡先端部への取り付けを高精度且つ容易に行えると共に、高性能で小型な斜視対物光学系を提供することを目的とする。また、高画質の画像が得られると共に、細径化された先端部を有する斜視用内視鏡を提供する。
【課題を解決するための手段】
【００３２】
上述した課題を解決し、目的を達成するために、本発明の斜視対物光学系は、
物体側から順に、負レンズからなる前側レンズ群と、光路変換素子と、明るさ絞りと、正の屈折力を有する後側レンズ群と、から構成され、
後側レンズ群は、正レンズと、正の屈折力を有する接合レンズと、からなり、
接合レンズは、物体側から順に、正レンズと負レンズとで構成され、
以下の条件式（１）、（２）、（３）、（４）、（５）を満足する。
−２．０＜ｆF／ｆ＜−１．３      （１）
１．７＜ｆR／ｆ＜２．７      （２）
０．６３＜｜ｆF／ｆR｜＜０．８８      （３）
２．４＜Ｄ１／ｆ＜４．４      （４）
１．１＜Ｄ２／ｆ＜１．７      （５）
ただし、
ｆFは、前側レンズ群の焦点距離、
ｆRは、後側レンズ群の焦点距離、
ｆは、斜視対物光学系全系の焦点距離、
Ｄ１は、前側レンズ群の負レンズの像側面から明るさ絞りまでの空気換算長、
Ｄ２は、後側レンズ群の最終レンズの像側面から像面までの空気換算長、
である。
【００３３】
また、本発明の斜視用内視鏡は、
上記の斜視対物光学系を備えることを特徴とする。
【発明の効果】
【００３４】
本発明によれば、組立てや内視鏡先端部への取り付けを高精度且つ容易に行えると共に、高性能で小型な斜視対物光学系を実現することができる。また、高画質の画像が得られると共に、細径化された先端部を有する斜視用内視鏡を提供することができる。
【図面の簡単な説明】
【００３５】
【図１】従来の斜視対物光学系を示す図である。
【図２】従来の別の斜視対物光学系を示す図である。
【図３】斜視対物光学系の枠部材を示す図である。
【図４】斜視対物光学系の別の枠部材を示す図である。
【図５】斜視対物光学系の別の枠部材を示す図である。
【図６】本実施例に係る斜視対物光学系の断面構成を示す図と、プリズムを示す図である。
【図７】実施例１に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図８】実施例２に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図９】実施例３に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１０】実施例４に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１１】実施例５に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１２】実施例６に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１３】実施例７に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１４】実施例８に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１５】実施例９に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１６】実施例１０に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１７】実施例１１に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１８】実施例１２に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図１９】実施例１３に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図２０】実施例１４に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図２１】実施例１５に係る斜視対物光学系の断面構成を示す図と、球面収差（ＳＡ）、非点収差（ＡＳ）、歪曲収差（ＤＴ）及び倍率色収差（ＣＣ）をそれぞれ示す収差図である。
【図２２】内視鏡装置の構成を示す図である。
【発明を実施するための形態】
【００３６】
以下、本実施形態に係る斜視対物光学系について、図面を用いて、このような構成をとった理由と作用を説明する。なお、以下の実施形態係る斜視対物光学系によりこの発明が限定されるものではない。
【００３７】
本実施形態の斜視対物光学系は、物体側から順に、負レンズからなる前側レンズ群と、光路変換素子と、明るさ絞りと、正の屈折力を有する後側レンズ群と、から構成され、後側レンズ群は、正レンズと、正の屈折力を有する接合レンズと、からなり、接合レンズは、物体側から順に、正レンズと負レンズとで構成されている。
【００３８】
明るさ絞りの近傍、すなわち、明るさ絞りの物体側又は明るさ絞りの像側に光路変換素子を配置することで、光路変換素子における光線高を低く抑えることができる。その結果、光路変換素子のサイズを小さくできる。
【００３９】
しかしながら、明るさ絞りよりも像側に光路変換素子を配置すると、明るさ絞りから像面までの距離は、少なくとも光路変換素子の硝路長分だけ長くなってしまう。そうすると、斜視対物光学系から出射する光線は、撮像素子の受光面に対してほぼ垂直になる。そのため、斜視対物光学系から出射する光線の角度は、撮像素子の斜入射特性を満足する角度にならない。その結果、画像の周辺部に、明るさのムラや色のムラが発生してしまう。
【００４０】
また、斜視対物光学系の組立てでは、ピント調整を行う。そのため、無理に撮像素子の斜入射特性を満足させようとすると、ピント調整に必要な間隔が不足する。また、斜入射特性に合わせて無理に光線を曲げることになるので、収差が発生してしまう。その結果、著しく光学性能が低下してしまう。
【００４１】
そこで、本実施形態に係る斜視対物光学系では、明るさ絞りよりも物体側に光路変換素子を配置している。これにより、明るさ絞りから像面までの距離を短くできるので、斜視対物光学系から出射する光線の角度を、撮像素子の斜入射特性を満足する角度にすることが、比較的容易に行える。
【００４２】
更に、明るさ絞りよりも物体側では硝路長が長くなる。そのため、前側レンズ群を保持する枠部材の長さを、適切に確保することができる。その結果、斜視対物光学系の組立てや、斜視対物光学系の内視鏡先端部への取り付けを、高精度で容易に行うことができる。
【００４３】
接合レンズは、物体側から順に、正レンズと負レンズとで構成されていることが望ましい。このようにすることで、斜視対物光学系を小型化することができる。また、斜視対物光学系から出射する光線の角度を、撮像素子の斜入射特性を満足する角度にすることができる。
【００４４】
接合レンズを、物体側から順に、負レンズと正レンズとで構成すると、接合レンズにおける光線高が高くなってしまうので、レンズの外径が大きくなる。そのため、レンズの加工性が悪くなる。また、斜視対物光学系全体としても外径が大きくなってしまう。
【００４５】
更に、像側に配置した正レンズの作用によって光線が曲げられるため、斜視対物光学系から出射する光線が、撮像素子の受光面に対してほぼ垂直になる。その結果、斜視対物光学系から出射する光線の角度を、撮像素子の斜入射特性を満足する角度にすることが難しくなる。無理に斜入射特性を満足する角度にしようとすると、接合レンズ面で光線が大きく曲げられるので収差が発生する。そのため、光学性能が劣化してしまう。
【００４６】
本実施形態の斜視対物光学系は、上記の構成を備えると共に、以下の条件式（１）、（２）を満足する。
−２．０＜ｆF／ｆ＜−１．３      （１）
１．７＜ｆR／ｆ＜２．７      （２）
ここで、
ｆFは、前側レンズ群の焦点距離、
ｆRは、後側レンズ群の焦点距離、
ｆは、斜視対物光学系全系の焦点距離、
である。
【００４７】
条件式（１）は、前側レンズ群の焦点距離を規定した条件式である。
【００４８】
条件式（１）の下限値を下回ると、前側レンズ群の屈折力が小さくなるため、斜視対物光学系の画角が小さくなる。この状態で大きな画角を確保しようとすると、前側レンズ群の負レンズ（以下、「前側負レンズ」という）から明るさ絞りまでの距離が長くなってしまう。そうすると、前側負レンズから明るさ絞りまでの間の光線高が高くなるため、前側負レンズが大型化すると共に、光学系全体が大型化してしまう。
【００４９】
条件式（１）の上限値を上回ると、前側レンズ群の屈折力が大きくなるため、斜視対物光学系の画角が大きくなる。画角が大きくなると、レンズを通過する光線の高さが高くなるためレンズ外径が大きくなってしまう。更に、画角が大きくなることで観察画像の周辺部が暗くなってしまう。画像周辺部を明るくするためには更に照明光を明るくしなければならないが、そうすると照明光学系の大型化を招いてしまう。いずれも内視鏡の細径化には好ましくない。
【００５０】
更に、前側レンズ群の屈折力が大きくなると、前側負レンズの曲率半径が小さくなるため、レンズの加工が難しくなる。更に、前側負レンズの屈折力が大きくなることで、特に、レンズが偏心した場合に光学性能の劣化が大きくなる。その結果、安定した光学性能をもつ斜視対物光学系を実現することが困難になる。
【００５１】
条件式（２）は、後側レンズ群の焦点距離を規定した条件式である。
【００５２】
条件式（２）の下限値を下回ると、後側レンズ群の屈折力が大きくなるため、像位置が後側レンズ群に近づき過ぎてしまう。そうすると、ピント調整に必要な間隔が狭くなってしまうので、ピント調整に必要な間隔が不足する。そのため、遠点側の深度が、本来必要とする深度よりも浅くなる。
【００５３】
更に、後側レンズ群の屈折力が大きくなると、後側レンズ群を構成する各レンズの屈折力も大きくなる。この場合、各レンズの曲率半径が小さくなるので、レンズの加工が難しくなる。
【００５４】
条件式（２）の上限値を上回ると、後側レンズ群の屈折力が小さくなるため、像位置が後側レンズ群から離れ過ぎてしまう。この場合、明るさ絞りから像位置までの硝路長が長くなるので、光学系全体が大型化する。
【００５５】
条件式（１）と条件式（２）を満足することによって、本実施形態に係る斜視対物光学系では、前側レンズ群の屈折力と後側レンズ群の屈折力とのバランスを最適にすることができる。その結果、諸収差が良好に補正された斜視対物光学系を実現することができる。
【００５６】
条件式（１）に代えて、以下の条件式（１’）を満足することが好ましい。
−１．９＜ｆF／ｆ＜−１．４      （１’）
条件式（２）に代えて、以下の条件式（２’）を満足することが好ましい。
１．８＜ｆR／ｆ＜２．５      （２’）
【００５７】
更に、本実施形態の斜視対物光学系は、以下の条件式（３）を満足する。
０．６３＜｜ｆF／ｆR｜＜０．８８      （３）
ここで、
ｆFは、前側レンズ群の焦点距離、
ｆRは、後側レンズ群の焦点距離、
である。
【００５８】
条件式（３）は、前側レンズ群の焦点距離と後側レンズ群の焦点距離の比を規定した条件式である。条件式（３）を満足することで、前側レンズ群の屈折力と後側レンズ群の屈折力のバランスを最適にすることができる。その結果、諸収差が良好に補正された斜視対物光学系を実現することができる。
【００５９】
条件式（３）の下限値を下回ると、前側レンズ群の焦点距離が短くなる（前側レンズ群の屈折力が大きくなる）。そのため、斜視対物光学系の画角が大きくなる。画角が大きくなると、レンズを通過する光線の高さが高くなるためレンズ外径が大きくなってしまう。更に、画角が大きくなることで観察画像の周辺部が暗くなってしまう。画像周辺部を明るくするためには更に照明光を明るくしなければならないが、そうすると照明光学系の大型化を招いてしまう。いずれも内視鏡の細径化には好ましくない。
【００６０】
更に、前側負レンズの屈折力が、後側レンズ群の正の屈折力よりも大きくなる。そのため、負の屈折力の影響を受ける収差を、後側レンズ群で十分に補正することができない。その結果、正方向に像面湾曲が生じる。
【００６１】
更に、前側レンズ群の屈折力と後側レンズ群の屈折力とのバランスが悪くなる。この場合、非点収差の発生量が大きくなるので、特に、子午線方向の像面が大きく正方向に傾いてしまう。そのため、レンズが偏心した場合に、画像に片ボケが発生しやすくなる。特に、近点観察時に、画像の周辺部が著しくボケてしまう虞がある。
【００６２】
条件式（３）の上限値を上回ると、前側レンズ群の焦点距離が長くなる（前側レンズ群の屈折力が小さくなる）。そのため、斜視対物光学系の画角が小さくなる。
【００６３】
更に、前側負レンズの屈折力が、後側レンズ群の正の屈折力よりも小さくなる。そのため、後側レンズ群による補正が、負の屈折力の影響を受ける収差に対して過剰になる。その結果、負方向に大きな像面湾曲が生じる。
【００６４】
更に、前側レンズ群の屈折力と後側レンズ群の屈折力とのバランスが悪くなる。この場合、非点収差の発生量が大きくなるので、特に、子午線方向の像面が大きく負方向に傾いてしまう。そのため、レンズが偏心した場合に、画像に片ボケが発生しやすくなる。特に、遠点観察時に、画像の周辺部が著しくボケてしまう虞がある。
【００６５】
また、本実施形態の斜視対物光学系は、以下の条件式（４）、（５）を満足することが好ましい。
２．４＜Ｄ１／ｆ＜４．４      （４）
１．１＜Ｄ２／ｆ＜１．７      （５）
ここで、
Ｄ１は、前側レンズ群の負レンズの像側面から明るさ絞りまでの空気換算長、
Ｄ２は、後側レンズ群の最終レンズの像側面から像面までの空気換算長、
ｆは、斜視対物光学系全系の焦点距離、
である。
【００６６】
条件式（４）は前側レンズ群の負レンズの像側面から明るさ絞りまでの空気換算長を規定した条件式である。例えば、後述の実施例１では、Ｄ１は以下の式で求まる。
Ｄ１＝ｄ２＋ｄ３／ｎ３＋ｄ４＋ｄ５／ｎ５
【００６７】
条件式（４）の下限値を下回ると、最適な外径形状の光路変換素子を配置するためのスペースを十分に確保することが難しくなる。そのため、光路変換素子で、光線のけられが発生する。また、光路変換素子の光学面以外に光線が入射することで、画像にフレアが発生する虞がある。
【００６８】
また、前側レンズ群を保持する枠部材の長さを、適切に確保することが難しくなる。この場合、組立用の治工具に枠部材を安定的に保持することができなくなる。そのため、斜視対物光学系の組立てやピント調整を、高精度に行うことが難しくなる。更に、斜視対物光学系の内視鏡先端部への取り付けと固定を、高精度に行うことが難しくなる。
【００６９】
条件式（４）の上限値を上回ると、光路変換素子を配置するためのスペースを十分に確保できるが、前側負レンズから明るさ絞りまでの硝路長が長くなりすぎる。この場合、前側負レンズにおける光線高が高くなるので、前側負レンズの外径が大きくなる。これに伴って、斜視対物光学系が大型化する。更に、斜視対物光学系の大型化に伴って、それを搭載する内視鏡の外径も大きくなる。
【００７０】
条件式（５）は後側レンズ群の最終レンズの像側面から像面までの空気換算長を規定した条件式である。ここで、最終レンズは屈折力を有するレンズを意味する。よって、カラーフィルタ等の平行平板フィルタやパワーレスレンズは、最終レンズではない。例えば、後述の実施例１では、Ｄ２は以下の式で求まる。
Ｄ２＝ｄ１４＋ｄ１５／ｎ１５＋ｄ１６／ｎ１６＋ｄ１７／ｎ１７
【００７１】
条件式（５）の下限値を下回ると、最終レンズから像面までの間隔が狭くなり過ぎる。この場合、撮像素子と斜視対物光学系との間隔が狭くなり過ぎるので、斜視対物光学系の組立時に十分なピント調整が行えない。そのため、遠点側の深度が、本来必要とする深度よりも浅くなる。
【００７２】
条件式（５）の上限値を上回ると、最終レンズから像面までの距離を十分に確保できるため、斜視対物光学系の組立時のピント調整はできる。しかしながら、最終レンズから像面までの距離が長くなり過ぎるため、撮像素子の位置が斜視対物光学系から離れ過ぎてしまう。その結果、斜視対物光学系を内視鏡先端部に取り付けた時に、斜視対物光学系と撮像素子（以下、「撮像系」という）が、他の部材と干渉しやすくなる。この干渉を避けるためには、内視鏡内の撮像系の周囲にクリアランスを設ける必要がある。そうすると、内視鏡先端部全体が大型化してしまう。
【００７３】
条件式（４）に代えて、以下の条件式（４’）を満足することが好ましい。
２．４＜Ｄ１／ｆ＜４．２      （４’）
条件式（５）に代えて、以下の条件式（５’）を満足することが好ましい。
１．１＜Ｄ２／ｆ＜１．６      （５’）
【００７４】
また、本実施形態の斜視対物光学系は、以下の条件式（６）を満足することが好ましい。
１．７＜Ｄ１／Ｄ２＜３．１      （６）
ここで、
Ｄ１は、前側レンズ群の負レンズの像側面から明るさ絞りまでの空気換算長、
Ｄ２は、後側レンズ群の最終レンズの像側面から像面までの空気換算長、
である。
【００７５】
条件式（６）は、前側レンズ群の負レンズの像側面から明るさ絞りまでの空気換算長と、後側レンズ群の最終レンズの像側面から像面までの空気換算長と、の比を規定した条件式である。条件式（６）を満足することで、２つの空気換算長のバランスを最適にすることができる。その結果、特に、撮像系のサイズを最適にすることができる。
【００７６】
条件式（６）の下限値を下回ると、前側レンズ群の負レンズの像側面から明るさ絞りまでの空気換算長が短くなり過ぎる。この場合、枠部材を組立用の治工具で保持しにくくなるので、組立性が悪くなる。
【００７７】
条件式（６）の上限値を上回ると、枠部材が大型化する。特に、前側レンズ群を保持する枠部材の大型化を招くため、内視鏡先端部の外径が大きくなる。
【００７８】
また、本実施形態の斜視対物光学系は、以下の条件式（７）を満足することが好ましい。
１．５＜ｆ3／ｆ2＜３．１      （７）
ここで、
ｆ2は、後側レンズ群の正レンズの焦点距離、
ｆ3は、後側レンズ群の接合レンズの焦点距離、
である。
【００７９】
条件式（７）は後側レンズ群の正レンズの焦点距離と後側レンズ群の接合レンズの焦点距離を規定した条件式である。条件式（７）を満足することで、正レンズの屈折力と接合レンズの屈折力とのバランスを最適にすることができる。
【００８０】
条件式（７）の下限値を下回ると、接合レンズの焦点距離が短くなるので、後側レンズ群における正の屈折力が大きくなる、この場合、像位置が後側レンズ群に近づき過ぎてしまう。そのため、ピント調整に必要な間隔が不足する。その結果、遠点側の深度が、本来必要とする深度よりも浅くなる。また、像の周辺部においてコマ収差の発生量が大きくなるので、光学性能が低下する。
【００８１】
更に、特に、後側レンズ群において、正レンズ全体の屈折力と負レンズ全体の屈折力とのバランスが崩れる。その結果、軸上色収差と倍率色収差が発生する。そのため、光学性能が低下する。
【００８２】
条件式（７）の上限値を上回ると、接合レンズの焦点距離が長くなるので、後側レンズ群における正の屈折力が小さくなる。この場合、像位置が後側レンズ群から離れ過ぎてしまう。そのため、光学系の全長が長くなる。また、像の周辺部においてコマ収差の発生量が大きくなるので、光学性能が低下する。
【００８３】
更に、特に、後側レンズ群において、正レンズ全体の屈折力と負レンズ全体の屈折力のバランスが崩れる。その結果、軸上色収差と倍率色収差が発生する。そのため、光学性能が低下する。
【００８４】
また、本実施形態の斜視対物光学系は、以下の条件式（８）を満足することが好ましい。
１．１＜|Ｒc|／ｆ＜２．１      （８）
ここで、
Ｒcは、後側レンズ群の接合レンズの接合面の曲率半径、
ｆは、斜視対物光学系全系の焦点距離、
である。
【００８５】
条件式（８）の下限値を下回ると、接合レンズの接合面の曲率半径が小さくなる。この場合、接合レンズの正レンズでは縁肉が少なくなってしまい、また、接合レンズの負レンズでは球欠面が深くなってしまう。そのため、レンズの加工性が悪くなる。
【００８６】
条件式（８）の上限値を上回ると、接合レンズの接合面の曲率半径が大きくなる。この場合、接合面の屈折力が小さくなるので、色収差の補正が困難になる。
【００８７】
条件式（８）では、Ｒcを絶対値で規定しているが、Ｒcの値は負の値であることが望ましい。
【００８８】
また、本実施形態の斜視対物光学系は、以下の条件式（９）を満足することが好ましい。
−１７°＜ＴＷ＜０°      （９）
ここで、
ＴＷは、最大像高時の像面への光線入射角度、
である。
【００８９】
条件式（９）を満足することで、後側レンズ群における光線高を低く抑えることができる。そのため、後側レンズ群におけるレンズの外径を小さくできる。加えて、枠部材も含めた状態で後側レンズ群を小型化できる。
【００９０】
なお、ＴＷは、最大像高に到達する主光線と光軸に平行な軸とのなす角度である。角度の正負は、最大像高に到達する主光線が光軸に対して徐々に離れて入射する場合を負とする。また、ＴＷは、媒質が空気中のときの角度である。
【００９１】
条件式（９）に代えて、以下の条件式（９’）を満足することが好ましい。
−１２°≦ＴＷ≦−５°      （９’）
【００９２】
また、本実施形態の斜視対物光学系では、光路変換素子は、プリズム又はミラーであることが好ましい。
【００９３】
また、本実施形態の斜視対物光学系では、光路変換素子に、高屈折率硝材を使用することができる。
【００９４】
上述のように、本実施形態に係る斜視対物光学系では、明るさ絞りよりも物体側に光路変換素子を配置している。この構成により、前側レンズ群を保持する枠部材の長さを、適切に確保することができている。ただし、この構成では、特に、前側負レンズにおいて光線高が高くなるので、前側負レンズの外径が大きくなりやすい。
【００９５】
そこで、光路変換素子に、高屈折率硝材を使用することが好ましい。このようにすることで、光路変換素子の空気換算長を短くできるので、前側負レンズにおける光線高を低く抑えることができる。
【００９６】
また、本実施形態の斜視対物光学系では、接合レンズの正レンズに低分散硝材を使用し、接合レンズの負レンズに高分散硝材を使用することができる。
【００９７】
一般に、高屈折率硝材のアッベ数はあまり大きくないため、高屈折率硝材では分散が大きくなる。そのため、光路変換素子に高屈折率硝材を使用することで光路変換素子の空気換算長を短くできても、色収差への影響は残る。
【００９８】
このようなことから、接合レンズの正レンズに低分散硝材を使用し、接合レンズの負レンズに高分散硝材を使用することが好ましい。特に、接合レンズの負レンズには、異常分散性を持つ硝材を用いると良い。このようにすることで、色収差を良好に補正することができる。更に、斜視対物光学系全体での諸収差を、バランスの取れた状態にすることができる。
【００９９】
また、斜視対物光学系の画角は、主に前側負レンズの屈折力によって決まる。前側負レンズと明るさ絞りとの間には、硝路長の長い光路変換素子が配置されるので、前側負レンズにおける光線高が高くなる。そのため、負レンズの外径が大きくなって、対物光学系も大型化する。しかし、一方、前側負レンズの曲率半径が大きくなるため、前側負レンズが偏心しても片ボケなどが生じにくくなって、光学性能が低下しにくくなる。このため、レンズ外径だけでなく、レンズ偏心による光学性能への影響も考慮して、明るさ絞りから物体側の構成を最適な構成にする必要がある。
【０１００】
また、本実施形態の斜視用内視鏡は、上述の斜視対物光学系を備えることを特徴とする。
【０１０１】
本実施形態の斜視対物光学系は、小型で高性能な斜視対物光学系である。よって、このような斜視対物光学系を備えることで、高画質の画像が得られると共に、細径化された先端部を有する斜視用内視鏡を実現することができる。
【０１０２】
また、本実施形態の斜視対物光学系は、内視鏡装置に用いることができる。内視鏡装置は、本実施形態の斜視対物光学系と、撮像素子と、を少なくとも備える。
【０１０３】
実施例の説明に先立って、本実施例の斜視対物光学系の概要について説明する。各実施例における斜視対物光学系の断面構成を示す図では、光路変換素子は、プリズムを展開した図として示されている。そのため、光路変換素子は、平行平面板として描かれている。
【０１０４】
展開されていない状態のプリズムの例を図６に示す。図６（ａ）はプリズムを展開しない状態で描いたときのレンズ断面図である。ここでは、本実施例の斜視対物光学系として、実施例１の斜視対物光学系が例示されている。本実施例の斜視対物光学系は、プリズムＰを介して配置された前側レンズ群ＧＦと後側レンズ群ＧＲとを有し、開口絞りＳはプリズムＰと後側レンズ群ＧＲとの間に配置されている。
【０１０５】
すなわち、本実施例の斜視対物光学系は、プリズムＰの物体側に前側レンズ群ＧＦが配置され、プリズムＰの像側に後側レンズ群ＧＲが配置されている。前側レンズ群ＧＦは負の屈折力を有し、負の屈折力のレンズＬ１から構成されている。後側レンズ群ＧＲは正の屈折力を有し、正の屈折力のレンズＬ２と、正の屈折力のレンズＬ３と負の屈折力のレンズＬ４を順次接合してなる正の屈折力の接合レンズから構成されている。
【０１０６】
平行平板として描かれたプリズムＰを１回反射型のプリズムとして構成すれば、図６（ａ）に示すように、９０度側方観察が可能な側方視用対物光学系を構成することができる。また、プリズムの反射面を４５度以外の角度に設定にすれば、４５度以外の前方視や後方視などの対物光学系が構成できる。また、２回反射型のプリズムとして構成すれば、４５度の前方視用対物光学系を構成することもできる。
【０１０７】
更に、プリズムＰは、複数のプリズムによって構成することも可能である。図６（ｂ）には、２つのプリズムで側方視ができる構成が示され、図６（ｃ）には、２つのプリズムで前方視ができる構成が示されている。
【０１０８】
また、プリズムＰの硝材には、屈折率が１．８以上の高屈折率硝材を用いることが好ましい。このようにすることで、プリズムでの空気換算長を短くすることができる。
【０１０９】
負レンズＬ１の硝材をサファイアとしても良い。サファイアは硬度が非常に高い材料なので、外部からの衝撃に強い。よって、物体側のレンズ面に傷が付きにくい。サファイアを用いることで、画像への傷の映り込みや、傷によるフレア発生が起こりにくくなる。なお、負レンズの硝材は、サファイアに限られない。負レンズＬ１に高硬度の結晶材料を用いれば、レンズの表面に傷が付きにくくなる。
【０１１０】
本実施例の斜視対物光学系では、２つの正レンズが用いられている。どちらの正レンズも、両凸形状を有している。低分散硝材では屈折率が低くなるために、低分散硝材を正レンズに用いると、レンズ面の曲率半径が小さくなってしまう。そのため、レンズのコバ厚を十分に確保できなくという問題や、有効口径に対して余裕を持ったレンズ外径を確保できなくなるという問題が生じやすい。そこで、レンズの加工性を考慮すると、正レンズの曲率半径が小さくなり過ぎないようにすることが好ましい。このようなことから、屈折率が１．７以上の高屈折率硝材を、正レンズＬ２と正レンズＬ３の少なくとも一方に用いると良い。
【０１１１】
正レンズＬ２を両凸レンズで構成する場合、物体側面と像側面は、曲率半径の絶対値が等しい面（以下、「等Ｒ面」という）にすることが好ましい。このようにすると、レンズの前後の判別が不要なため組立てがし易い。
【０１１２】
正レンズＬ２を両凸レンズで構成する場合、物体側面の曲率半径の絶対値を、像側面の曲率半径の絶対値よりも大きくしても良い。このようにすると、収差補正が容易に行える。
【０１１３】
また、撮像素子の画素ピッチが小さくなってくると、これに対応して色収差も小さく抑える必要がある。これに対応するために、接合レンズを構成する負レンズＬ４には、屈折率が１．９以上で、アッベ数が２５以下の高分散硝材を用いることが好ましい。このようにすることで、色収差の補正を良好にすることができる。
【０１１４】
一方、接合レンズを構成する正レンズＬ３には、なるべくアッベ数の大きい低分散の硝材を用いるのが良い。例えば、アッベ数５０以上の硝材を、正レンズＬ３に用いることが好ましい。
【０１１５】
また、接合レンズを像面に近い位置に配置することで、接合レンズを通過する光線高が高くなる。光線高が高い位置に接合レンズが位置することで、倍率色収差を良好に補正することができる。このように、接合レンズを像面に近い位置に配置することは、特に倍率色収差の補正に有効である。
【０１１６】
また、本実施例の斜視対物光学系に設けられたプリズム以外の平行平板は、例えば、赤外線カットフィルタや、色温度変換フィルタである。これらのフィルタは、ＣＣＤなどの撮像素子の感度補正に用いられる。
【０１１７】
また、レーザーカットフィルタや特殊機能フィルタを、斜視対物光学系に配置してもよい。レーザーカットフィルタとしては、例えば、ＹＡＧレーザや半導体レーザ等のレーザ光をカットするためのフィルタがある。特殊機能フィルタとしては、例えば、特定波長域の光線をカットするノッチフィルタがある。
【０１１８】
また、光学フィルタには、吸収型のフィルタ、反射型のフィルタ、もしくはそれらの複合型を用いても良い。また、光学フィルタの表面には反射防止膜が施されていてもよい。
【０１１９】
更に、プリズムの透過面に、赤外線カット特性またはレーザ光カット特性を有する干渉膜を設けることも可能である。
【０１２０】
また、本実施例の斜視対物光学系の像面側に配置している平行平板フィルタは、撮像素子に用いるガラスリッドとカバーガラスである。カバーガラスの側面と表面を枠部材で保持することで、撮像素子が枠部材内に固定される。
【０１２１】
更に、負レンズＬ１に近接してフィルタＦ１を設けることで、負レンズＬ１の像面側に形成される空気層の体積を小さくすることができる。その結果、レンズ面の結露による曇りの影響を低減することができる。
【０１２２】
更に、負レンズＬ１とフィルタＦ１とを接合しても良く、また、両者をはんだ等で気密封止しても良い。このようにすることで、より効果的に曇りの発生を防止することができる。
【０１２３】
また、本実施例の斜視対物光学系のレンズ枚数は４枚と少ないが、結像性能は良好である。このように、少ないレンズ枚数で対物光学系を構成できるので、コストの低減ができる。
【０１２４】
更に、本実施例の斜視対物光学系では、従来の斜視対物光学系と比べて、空気間隔が狭くなっているので、光学系全体が小型になっている。
【０１２５】
以下、実施例について説明する。各収差図において、横軸は収差量を表している。球面収差、非点収差及び倍率収差については、収差量の単位はｍｍである。また、歪曲収差については、収差量の単位は％である。また、ＩＨは像高で単位はｍｍ、ＦＮＯはＦナンバーである。また、収差曲線の波長の単位はｎｍである。
【０１２６】
（実施例１）
実施例１に係る斜視対物光学系について説明する。図７は、実施例１に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１２７】
実施例１の斜視対物光学系は、図７（ａ）に示すように、物体側から順に、負屈折力の前側レンズ群ＧＦと、光路変換素子Ｐと、明るさ絞りＳと、正屈折力の後側レンズ群ＧＲと、からなる。
【０１２８】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１２９】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１３０】
明るさ絞りＳは、光路変換素子Ｐと後側レンズ群ＧＲとの間に配置されている。より具体的には、明るさ絞りＳは、光路変換素子Ｐの像側面に設けられている。
【０１３１】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の両面は、等Ｒ面になっている。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１３２】
（実施例２）
実施例２に係る斜視対物光学系について説明する。図８は、実施例２に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１３３】
実施例２の斜視対物光学系は、図８（ａ）に示すように、物体側から順に、負屈折力の前側レンズ群ＧＦと、光路変換素子Ｐと、明るさ絞りＳと、正屈折力の後側レンズ群ＧＲと、からなる。
【０１３４】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１３５】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１３６】
明るさ絞りＳは、光路変換素子Ｐと後側レンズ群ＧＲとの間に配置されている。より具体的には、明るさ絞りＳは、光路変換素子Ｐの像側面に設けられている。
【０１３７】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の物体側面の曲率半径の絶対値は、像側面の曲率半径の絶対値よりも大きい。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１３８】
（実施例３）
実施例３に係る斜視対物光学系について説明する。図９は、実施例３に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１３９】
実施例３の斜視対物光学系は、図９（ａ）に示すように、物体側から順に、負屈折力の前側レンズ群ＧＦと、光路変換素子Ｐと、明るさ絞りＳと、正屈折力の後側レンズ群ＧＲと、からなる。
【０１４０】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１４１】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１４２】
明るさ絞りＳは、光路変換素子Ｐと後側レンズ群ＧＲとの間に配置されている。より具体的には、明るさ絞りＳは、光路変換素子Ｐの像側面に設けられている。
【０１４３】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の両面は、等Ｒ面になっている。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１４４】
（実施例４）
実施例４に係る斜視対物光学系について説明する。図１０は、実施例４に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１４５】
実施例４の斜視対物光学系は、図１０（ａ）に示すように、物体側から順に、負屈折力の前側レンズ群ＧＦと、光路変換素子Ｐと、明るさ絞りＳと、正屈折力の後側レンズ群ＧＲと、からなる。
【０１４６】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１４７】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１４８】
明るさ絞りＳは、光路変換素子Ｐと後側レンズ群ＧＲとの間に配置されている。より具体的には、明るさ絞りＳは、光路変換素子Ｐの像側面に設けられている。
【０１４９】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の両面は、等Ｒ面になっている。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１５０】
（実施例５）
実施例５に係る斜視対物光学系について説明する。図１１は、実施例５に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１５１】
実施例５の斜視対物光学系は、図１１（ａ）に示すように、物体側から順に、負屈折力の前側レンズ群ＧＦと、光路変換素子Ｐと、明るさ絞りＳと、正屈折力の後側レンズ群ＧＲと、からなる。
【０１５２】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１５３】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１５４】
明るさ絞りＳは、光路変換素子Ｐと後側レンズ群ＧＲとの間に配置されている。より具体的には、明るさ絞りＳは、光路変換素子Ｐの像側面に設けられている。
【０１５５】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の両面は、等Ｒ面になっている。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１５６】
（実施例６）
実施例６に係る斜視対物光学系について説明する。図１２は、実施例６に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１５７】
実施例６の斜視対物光学系は、図１２（ａ）に示すように、物体側から順に、負屈折力の前側レンズ群ＧＦと、光路変換素子Ｐと、明るさ絞りＳと、正屈折力の後側レンズ群ＧＲと、からなる。
【０１５８】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１５９】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１６０】
明るさ絞りＳは、光路変換素子Ｐと後側レンズ群ＧＲとの間に配置されている。より具体的には、明るさ絞りＳは、光路変換素子Ｐの像側面に設けられている。
【０１６１】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の両面は、等Ｒ面になっている。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１６２】
（実施例７）
実施例７に係る斜視対物光学系について説明する。図１３は、実施例７に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１６３】
実施例７の斜視対物光学系は、図１３（ａ）に示すように、物体側から順に、負屈折力の前側レンズ群ＧＦと、光路変換素子Ｐと、明るさ絞りＳと、正屈折力の後側レンズ群ＧＲと、からなる。
【０１６４】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１６５】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１６６】
明るさ絞りＳは、光路変換素子Ｐと後側レンズ群ＧＲとの間に配置されている。より具体的には、明るさ絞りＳは、光路変換素子Ｐの像側面に設けられている。
【０１６７】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の両面は、等Ｒ面になっている。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１６８】
（実施例８）
実施例８に係る斜視対物光学系について説明する。図１４は、実施例８に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１６９】
実施例８の斜視対物光学系は、図１４（ａ）に示すように、物体側から順に、負屈折力の前側レンズ群ＧＦと、光路変換素子Ｐと、明るさ絞りＳと、正屈折力の後側レンズ群ＧＲと、からなる。
【０１７０】
前側レンズ群ＧＦは、物体側が平面である平凹負レンズＬ１からなる。平凹負レンズＬ１にはサファイアが用いられている。また、前側レンズ群ＧＦには、フィルタＦ１が配置されている。フィルタＦ１は、平凹負レンズＬ１と光路変換素子Ｐとの間に配置されている。
【０１７１】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１７２】
明るさ絞りＳは、光路変換素子Ｐと後側レンズ群ＧＲとの間に配置されている。より具体的には、明るさ絞りＳは、光路変換素子Ｐの像側面に設けられている。
【０１７３】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の物体側面の曲率半径の絶対値は、像側面の曲率半径の絶対値よりも大きい。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１７４】
（実施例９）
実施例９に係る斜視対物光学系について説明する。図１５は、実施例９に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１７５】
実施例９の斜視対物光学系は、図１５（ａ）に示すように、物体側から順に、負屈折力の前側レンズ群ＧＦと、光路変換素子Ｐと、明るさ絞りＳと、正屈折力の後側レンズ群ＧＲと、からなる。
【０１７６】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１７７】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１７８】
明るさ絞りＳは、光路変換素子Ｐと後側レンズ群ＧＲとの間に配置されている。より具体的には、明るさ絞りＳは、光路変換素子Ｐの像側面に設けられている。
【０１７９】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の両面は、等Ｒ面になっている。後側レンズ群ＧＲには、ガラスリッドＧＬとカバーガラスＣＧが配置されている。
【０１８０】
本実施例に係る斜視対物光学系では、光学フィルタとしての機能はフィルタＦ１に集約されている。よって、斜視対物光学系に配置されている光学フィルタは１枚だけである。
【０１８１】
（実施例１０）
実施例１０に係る斜視対物光学系について説明する。図１６は、実施例１０に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１８２】
実施例１０の斜視対物光学系は、図１６（ａ）に示すように、物体側から順に、負屈折力の前側レンズ群ＧＦと、光路変換素子Ｐと、明るさ絞りＳと、正屈折力の後側レンズ群ＧＲと、からなる。
【０１８３】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１８４】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１８５】
明るさ絞りＳは、光路変換素子Ｐと後側レンズ群ＧＲとの間に配置されている。より具体的には、明るさ絞りＳは、光路変換素子Ｐの像側面に設けられている。
【０１８６】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の両面は、等Ｒ面になっている。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１８７】
（実施例１１）
実施例１１に係る斜視対物光学系について説明する。図１７は、実施例１１に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１８８】
実施例１１の斜視対物光学系は、図１７（ａ）に示すように、物体側から順に、負屈折力の前側レンズ群ＧＦと、光路変換素子Ｐと、明るさ絞りＳと、正屈折力の後側レンズ群ＧＲと、からなる。
【０１８９】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１９０】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１９１】
明るさ絞りＳは、光路変換素子Ｐと後側レンズ群ＧＲとの間に配置されている。より具体的には、明るさ絞りＳは、光路変換素子Ｐの像側面に設けられている。
【０１９２】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の物体側面の曲率半径の絶対値は、像側面の曲率半径の絶対値よりも大きい。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１９３】
（実施例１２）
実施例１２に係る斜視対物光学系について説明する。図１８は、実施例１２に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０１９４】
実施例１２の斜視対物光学系は、図１８（ａ）に示すように、物体側から順に、負屈折力の前側レンズ群ＧＦと、光路変換素子Ｐと、明るさ絞りＳと、正屈折力の後側レンズ群ＧＲと、からなる。
【０１９５】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０１９６】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０１９７】
明るさ絞りＳは、光路変換素子Ｐと後側レンズ群ＧＲとの間に配置されている。より具体的には、明るさ絞りＳは、光路変換素子Ｐの像側面に設けられている。
【０１９８】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の物体側面の曲率半径の絶対値は、像側面の曲率半径の絶対値よりも大きい。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０１９９】
（実施例１３）
実施例１３に係る斜視対物光学系について説明する。図１９は、実施例１３に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０２００】
実施例１３の斜視対物光学系は、図１９（ａ）に示すように、物体側から順に、負屈折力の前側レンズ群ＧＦと、光路変換素子Ｐと、明るさ絞りＳと、正屈折力の後側レンズ群ＧＲと、からなる。
【０２０１】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０２０２】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０２０３】
明るさ絞りＳは、光路変換素子Ｐと後側レンズ群ＧＲとの間に配置されている。より具体的には、明るさ絞りＳは、光路変換素子Ｐの像側面に設けられている。
【０２０４】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の物体側面の曲率半径の絶対値は、像側面の曲率半径の絶対値よりも大きい。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０２０５】
（実施例１４）
実施例１４に係る斜視対物光学系について説明する。図２０は、実施例１４に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０２０６】
実施例１４の斜視対物光学系は、図２０（ａ）に示すように、物体側から順に、負屈折力の前側レンズ群ＧＦと、光路変換素子Ｐと、明るさ絞りＳと、正屈折力の後側レンズ群ＧＲと、からなる。
【０２０７】
前側レンズ群ＧＦは、物体側が平面である平凹負レンズＬ１からなる。また、前側レンズ群ＧＦには、フィルタＦ１は、平凹負レンズＬ１と光路変換素子Ｐとの間に配置されている。
【０２０８】
光路変換素子Ｐは、前側レンズ群ＧＦと後側レンズ群ＧＲの間に配置されている。光路変換素子Ｐはプリズムである。プリズムには屈折率が１．５程度の低屈折率硝材が用いられている。
【０２０９】
明るさ絞りＳは、光路変換素子Ｐと後側レンズ群ＧＲとの間に配置されている。より具体的には、明るさ絞りＳは、光路変換素子Ｐの像側面に設けられている。
【０２１０】
後側レンズ群ＧＲは、両凸正レンズＬ２と、両凸正レンズＬ３と、平凹負レンズＬ４と、からなる。ここで、両凸正レンズＬ３と平凹負レンズＬ４とで、正屈折力の接合レンズを形成している。両凸正レンズＬ２の物体側面の曲率半径の絶対値は、像側面の曲率半径の絶対値よりも大きい。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０２１１】
本実施例に係る斜視対物光学系では、プリズムに低屈折率硝材が用いられている。そのため、前側レンズ群ＧＦと後側レンズ群ＧＲとの間隔（空気換算長）を広くして、プリズムが配置できるようにする必要がある。ただし、低屈折率硝材は、高屈折率硝材よりも低分散である。そのため、接合レンズにアッベ数が２０未満の高屈折率で異常分散な硝材を用いなくても、色収差の補正が可能である。本実施例では、平凹負レンズＬ４に、屈折率が１．８程度、アッベ数が２２程度の硝材を使用している。
【０２１２】
また、光路変換素子（プリズム）に低屈折率硝材を使用すると、高屈折率硝材の場合と比べて前側レンズ群と後側レンズ群との間隔が長くなるため、負レンズの外径が大型化しやすくなる。しかしながら、本実施例に係る斜視対物光学系では光路変換素子を短く構成したため、前側レンズ群のレンズ径は他の実施例と同程度の径になっている。
【０２１３】
また、接合レンズの両凸正レンズＬ３と平凹負レンズＬ４の屈折率差は約０．０７と小さい。また、平凹負レンズＬ４の像側面は、平面で構成されている。そのため、レンズの加工性が良く、組立時のレンズの前後の判別もし易い。
【０２１４】
（実施例１５）
実施例１５に係る斜視対物光学系について説明する。図２１は、実施例１５に係る斜視対物光学系の断面構成を示す図と収差図であって、（ａ）はレンズ断面、（ｂ）は球面収差（ＳＡ）、（ｃ）は非点収差（ＡＳ）、（ｄ）は歪曲収差（ＤＴ）、（ｅ）は倍率色収差（ＣＣ）を示す。
【０２１５】
実施例１５の斜視対物光学系は、図２１（ａ）に示すように、物体側から順に、負屈折力の前側レンズ群ＧＦと、光路変換素子Ｐと、明るさ絞りＳと、正屈折力の後側レンズ群ＧＲと、からなる。
【０２１６】
前側レンズ群ＧＦは、物体側が平面である平凹負レンズＬ１からなる。また、前側レンズ群ＧＦには、フィルタＦ１が配置されている。フィルタＦ１は、平凹負レンズＬ１と光路変換素子Ｐとの間に配置されている。
【０２１７】
光路変換素子Ｐは、前側レンズ群ＧＦと後側レンズ群ＧＲの間に配置されている。光路変換素子Ｐはプリズムである。プリズムには屈折率が１．８以上の高屈折率硝材が用いられている。
【０２１８】
明るさ絞りＳは、光路変換素子Ｐと後側レンズ群ＧＲとの間に配置されている。より具体的には、明るさ絞りＳは、光路変換素子Ｐの像側面に設けられている。
【０２１９】
後側レンズ群ＧＲは、両凸正レンズＬ２と、両凸正レンズＬ３と、像側に凸面を向けた負メニスカスレンズＬ４と、からなる。ここで、両凸正レンズＬ３と負メニスカスレンズＬ４とで、正屈折力の接合レンズを形成している。両凸正レンズＬ２の物体側面の曲率半径の絶対値は、像側面の曲率半径の絶対値よりも大きい。後側レンズ群ＧＲには、フィルタＦ２、ガラスリッドＧＬ及びカバーガラスＣＧが配置されている。フィルタＦ２は、両凸正レンズＬ２と接合レンズとの間に配置されている。
【０２２０】
本実施例に係る斜視対物光学系では、画角を１２０度というように広角化しているが、プリズムに屈折率が１．８以上の高屈折率硝材を用いることで、平凹負レンズＬ１の像側面の曲率半径（絶対値）が小さくならないようにしている。また、Ｆナンバーが３．６程度というように、明るく高性能な斜視対物光学系になっている。
【０２２１】
以上説明したように、各実施例の斜視対物光学系は、プリズムの物体側に配置された前側レンズ群と、プリズムの像側に配置された後側レンズ群と、前側レンズ群は負の屈折力を有すると共に、負の屈折力のレンズから構成され、後側レンズ群は正の屈折力を有すると共に、正の屈折力のレンズと正の屈折力を有する接合レンズとから構成され、接合レンズは、正の屈折力のレンズと負の屈折力のレンズを順次接合してなり、開口絞りをプリズムと後群レンズ群との間に具備する。
【０２２２】
各実施例の斜視対物光学系は、撮像素子の小型化および多画素化に対応して光学性能を向上させた最適なレンズ構成を有し、この構成によって、内視鏡先端部の細径化にも寄与し得る。更に、各実施例の斜視対物光学系は、各条件式を満足しているため、諸収差が良好に補正されている。
【０２２３】
以下に、上記各実施例の数値データを示す。記号は、ｒは各面の曲率半径、ｄは各光学部材の肉厚または空気間隔、ｎｄは各光学部材のｄ線に対する屈折率、νｄは各光学部材のｄ線に対するアッベ数、ｆは斜視対物光学系の全系の焦点距離、ＩＨは像高、ωは半画角、ｆFは前側レンズ群の焦点距離、ｆRは後側レンズ群の焦点距離、Ｄ１は前側レンズ群の負レンズの像側面から明るさ絞りまでの空気換算長、Ｄ２は後側レンズ群の最終レンズの像側面から像面までの空気換算長、Ｒcは後側レンズ群の接合レンズの接合面の曲率半径、ｆ2は後側レンズ群の正レンズの焦点距離、ｆ3は後側レンズ群の接合レンズの焦点距離、ＴＷは最大像高時の像面への光線入射角度を表している。また、ｒ、ｄ、ＩＨ、空気換算長および各焦点距の単位はｍｍである。また、ｆは１ｍｍに規格化されている。
【０２２４】
数値実施例１
単位  ｍｍ
面データ
面番号     r         d        nd        νd
1        ∞      0.5824   1.88300     40.76
2       1.3715   0.9318
3        ∞      0.5824   1.51633     64.14
4        ∞      0.0582
5        ∞      3.3735   1.88300     40.76
6        ∞      0
7(絞り)  ∞      0.1893
8       3.9034   1.2667   1.75500     52.32
9      -3.9034   0.0874
10        ∞      0.8736   1.52100     65.13
11        ∞      0.1165
12       2.4271   1.6452   1.58913     61.14
13      -1.5608   0.4368   1.92286     18.90
14     -18.2083   0.6471
15        ∞      0.4805   1.88300     40.76
16        ∞      0.0146   1.51300     64.00
17        ∞      0.5824   1.61062     50.49
18       0
(像面)
各種データ
ＩＨ       0.754
ω        46.963
Ｆｎｏ     5.585
【０２２５】
数値実施例２
単位  ｍｍ
面データ
面番号     r         d        nd        νd
1        ∞      0.5849   1.88300     40.76
2       1.3488   0.9358
3        ∞      0.5849   1.51633     64.14
4        ∞      0.0585
5        ∞      3.3878   1.88300     40.76
6        ∞      0
7(絞り)  ∞      0.1901
8       4.7265   1.1067   1.72916     54.68
9      -3.3389   0.0731
10        ∞      0.8773   1.52100     65.13
11        ∞      0.1024
12       2.5638   1.9281   1.58913     61.14
13      -1.6295   0.4533   1.92286     18.90
14     -17.7766   0.5258
15        ∞      0.4825   1.51633     64.14
16        ∞      0.0146   1.51300     64.00
17        ∞      0.5849   1.61062     50.49
18       0
(像面)
各種データ
ＩＨ       0.757
ω        47.49
Ｆｎｏ     5.337
【０２２６】
数値実施例３
単位  ｍｍ
面データ
面番号     r         d        nd        νd
1        ∞      0.5774   1.88300     40.76
2       1.2959   0.9238
3        ∞      0.5774   1.51633     64.14
4        ∞      0.0577
5        ∞      3.3446   1.88300     40.76
6        ∞      0
7(絞り)  ∞      0.1877
8       4.2060   1.2820   1.77250     49.60
9      -4.2060   0.0866
10        ∞      0.8661   1.52100     65.13
11        ∞      0.1155
12       2.2312   1.6570   1.58913     61.14
13      -1.4930   0.4330   1.92286     18.90
14     -25.0484   0.6461
15        ∞      0.5774   1.51633     64.14
16        ∞      0.0144   1.51300     64.00
17        ∞      0.5774   1.61062     50.49
18       0
(像面)
各種データ
ＩＨ       0.748
ω        46.852
Ｆｎｏ     5.382
【０２２７】
数値実施例４
単位  ｍｍ
面データ
面番号     r         d        nd        νd
1        ∞      0.5574   1.88300     40.76
2       1.4786   0.8083
3        ∞      0.5574   1.51633     64.14
4        ∞      0.0557
5        ∞      3.2290   1.88300     40.76
6        ∞      0
7(絞り)  ∞      0.2508
8       3.4826   1.3936   1.72916     54.68
9      -3.4826   0.1394
10        ∞      0.4320   1.51401     75.26
11        ∞      0.1394
12       2.6785   1.2542   1.51633     64.15
13      -1.6389   0.3763   1.92286     18.90
14      -4.6881   0.7878
15        ∞      0.5574   1.51633     64.14
16        ∞      0.0139   1.51300     53.00
17        ∞      0.5574   1.50510     63.26
18       0
(像面)
各種データ
ＩＨ       0.715
ω        44.041
Ｆｎｏ     3.582
【０２２８】
数値実施例５
単位  ｍｍ
面データ 
面番号     r         d        nd        νd
1        ∞    0.5574   1.88300     40.76
2     1.4786   0.8083
3        ∞    0.5574   1.51633     64.14
4        ∞    0.0557     
5        ∞    3.2290   1.88300     40.76
6        ∞    0
7(絞り)  ∞    0.2508
8     3.4826   1.3936   1.72916     54.68
9    -3.4826   0.1394
10        ∞    0.4320   1.51401     75.26
11        ∞    0.1394
12     2.6785   1.2542   1.51633     64.15
13    -1.6389   0.3763   1.92286     18.90
14    -4.6881   0.7921
15        ∞    0.5574   1.51633     64.14
16        ∞    0.0139   1.50808     63.26
17        ∞    0.5574   1.52275     55.29
18       0
(像面)
各種データ
ＩＨ       0.739
ω        45.823
Ｆｎｏ     3.582
【０２２９】
数値実施例６
単位  ｍｍ
面データ
面番号     r         d        nd        νd
1        ∞      0.6039   1.88300     40.76
2       1.3977   0.9902
3        ∞      0.6039   1.51633     64.14
4        ∞      0.0604
5        ∞      3.4984   1.88300     40.76
6        ∞      0
7(絞り)  ∞      0.2202
8       4.1101   1.3586   1.75500     52.32
9      -4.1101   0.0906
10        ∞      0.9059   1.52100     65.13
11        ∞      0.1208
12       2.4546   1.6388   1.58913     61.14
13      -1.6488   0.4530   1.92286     18.90
14     -15.7302   0.6285
15        ∞      0.5285   1.51633     64.14
16        ∞      0.0151   1.51300     64.00
17        ∞      0.6039   1.61062     50.49
18       0
(像面)
各種データ
ＩＨ       0.782
ω        49.682
Ｆｎｏ     3.919
【０２３０】
数値実施例７
単位  ｍｍ
面データ
面番号     r         d        nd        νd
1        ∞      0.6047   1.88300     40.76
2       1.4045   0.9860
3        ∞      0.6047   1.51633     64.14
4        ∞      0.0605
5        ∞      3.5027   1.80610     40.92
6        ∞      0
7(絞り)  ∞      0.2150
8       4.1478   1.3511   1.75500     52.32
9      -4.1478   0.0907
10        ∞      0.9070   1.52100     65.13
11        ∞      0.1209
12       2.4738   1.6527   1.58913     61.14
13      -1.6436   0.4535   1.92286     18.90
14     -16.3751   0.6376
15        ∞      0.5291   1.51633     64.14
16        ∞      0.0151   1.51300     64.00
17        ∞      0.6047   1.61062     50.49
18       0
(像面)
各種データ
ＩＨ       0.783
ω        49.783
Ｆｎｏ     3.963
【０２３１】
数値実施例８
単位  ｍｍ
面データ
面番号     r         d        nd        νd
1        ∞      0.6025   1.76820     71.79
2       1.2469   0.9706
3        ∞      0.6025   1.51633     64.14
4        ∞      0.0603
5        ∞      3.4902   1.80610     40.92
6        ∞      0
7(絞り)  ∞      0.2007
8       4.3747   0.8191   1.75500     52.32
9      -3.9694   0.0904
10        ∞      0.9038   1.52100     65.13
11        ∞      0.1205
12       2.3851   1.6115   1.58913     61.14
13      -1.6658   0.4519   1.92286     18.90
14     -17.1437   0.6244
15        ∞      0.5272   1.51633     64.14
16        ∞      0.0151   1.51300     64.00
17        ∞      0.6025   1.61062     50.49
18       0
(像面)
各種データ
ＩＨ       0.78
ω        49.868
Ｆｎｏ     3.914
【０２３２】
数値実施例９
単位  ｍｍ
面データ
面番号     r         d        nd        νd
1        ∞      0.6063   1.88300     40.76
2       1.4043   0.7963
3        ∞      0.9094   1.52100     65.13
4        ∞      0.0606
5        ∞      3.5118   1.88300     40.76
6        ∞      0
7(絞り)  ∞      0.2215
8       4.1211   1.3238   1.75500     52.32
9      -4.1211   0.8039
10       2.4518   1.6393   1.58913     61.14
11      -1.6490   0.4547   1.92286     18.90
12     -15.6642   0.6244
13        ∞      0.5305   1.51633     64.14
14        ∞      0.0152   1.51300     64.00
15        ∞      0.6063   1.61062     50.49
16       0
(像面)
各種データ
ＩＨ       0.785
ω        49.819
Ｆｎｏ     3.902
【０２３３】
数値実施例１０
単位  ｍｍ
面データ
面番号     r         d        nd        νd
1        ∞      0.7091   1.88300     40.76
2       1.5748   1.2402
3        ∞      0.7091   1.51633     64.14
4        ∞      0.0709
5        ∞      4.1075   1.88300     40.76
6        ∞      0
7(絞り)  ∞      0.3344
8       4.7563   1.4638   1.75500     52.32
9      -4.7563   0.1064
10        ∞      1.0636   1.52100     65.13
11        ∞      0.1418
12       2.6909   1.7969   1.58913     61.14
13      -2.0324   0.5318   1.92286     18.90
14     -12.6152   0.6184
15        ∞      0.6205   1.88300     40.76
16        ∞      0.0177   1.51300     64.00
17        ∞      0.7091   1.61062     50.49
18       0
(像面)
各種データ
ＩＨ       0.775
ω        49.712
Ｆｎｏ     4.826
【０２３４】
数値実施例１１
単位  ｍｍ
面データ
面番号     r         d        nd        νd
1        ∞      0.7151   1.88300     40.76
2       1.6305   1.2317
3        ∞      0.7151   1.51633     64.14
4        ∞      0.0715
5        ∞      4.1421   1.88300     40.76
6        ∞      0
7(絞り)  ∞      0.2647
8       5.3567   1.0020   1.75500     52.32
9      -4.4586   0.1073
10        ∞      1.0726   1.52100     65.13
11        ∞      0.1430
12       3.4196   1.9581   1.72916     54.68
13      -1.6984   0.5363   1.92286     18.90
14     -15.0024   0.6204
15        ∞      0.6257   1.88300     40.76
16        ∞      0.0179   1.51300     64.00
17        ∞      0.7151   1.61062     50.49
18       0
(像面)
各種データ
ＩＨ       0.781
ω        49.83
Ｆｎｏ     4.686
【０２３５】
数値実施例１２
単位  ｍｍ
面データ
面番号     r         d        nd        νd
1        ∞      0.7148   1.88300     40.76
2       1.6360   1.2338
3        ∞      0.7148   1.51633     64.14
4        ∞      0.0715
5        ∞      4.1406   1.88300     40.76
6        ∞      0
7(絞り)  ∞      0.2616
8       5.7330   0.9374   1.78590     44.20
9      -4.5891   0.1072
10        ∞      1.0722   1.52100     65.13
11        ∞      0.1430
12       3.3805   1.9484   1.72916     54.68
13      -1.6935   0.5361   1.92286     18.90
14     -14.9347   0.6272
15        ∞      0.6255   1.88300     40.76
16        ∞      0.0179   1.51300     64.00
17        ∞      0.7148   1.61062     50.49
18       0
(像面)
各種データ
ＩＨ       0.781
ω        49.8
Ｆｎｏ     4.679
【０２３６】
数値実施例１３
単位  ｍｍ
面データ
面番号     r         d        nd        νd
1        ∞      0.5257   1.88300     40.76
2       1.3088   0.7804
3        ∞      0.5257   1.51633     64.14
4        ∞      0.0526
5        ∞      3.0450   1.80610     40.92
6        ∞      0
7(絞り)  ∞      0.0848
8       3.7410   1.1367   1.75500     52.32
9      -3.5359   0.0789
10        ∞      0.7885   1.52100     65.13
11        ∞      0.1051
12       2.3989   1.5316   1.58913     61.14
13      -1.2564   0.4164   1.80810     22.76
14     -33.5075   0.6417
15        ∞      0.4600   1.51633     64.14
16        ∞      0.0131   1.51300     64.00
17        ∞      0.5257   1.61062     50.49
18       0
(像面)
各種データ
ＩＨ       0.769
ω        47.829
Ｆｎｏ     4.29
【０２３７】
数値実施例１４
単位  ｍｍ
面データ
面番号     r         d        nd        νd
1        ∞      0.5392   1.88300     40.76
2       1.4109   0.7483
3        ∞      0.5392   1.51633     64.14
4        ∞      0.0539
5        ∞      3.1230   1.51633     64.14
6        ∞      0
7(絞り)  ∞      0.0809
8       4.7542   1.4154   1.77250     49.60
9      -3.7982   0.0809
10        ∞      0.8087   1.52100     65.13
11        ∞      0.1078
12       3.4342   1.7847   1.72916     54.68
13      -1.1903   0.5256   1.80810     22.76
14        ∞      0.7540
15        ∞      0.4718   1.51633     64.14
16        ∞      0.0135   1.51300     64.00
17        ∞      0.5392   1.61062     50.49
18       0
(像面)
各種データ
ＩＨ       0.789
ω        49.83
Ｆｎｏ     4.282
【０２３８】
数値実施例１５
単位  ｍｍ
面データ
面番号     r         d        nd        νd
1        ∞      0.6803   1.88300     40.76
2       1.5386   1.1825
3        ∞      0.6803   1.51633     64.14
4        ∞      0.0680
5        ∞      3.9405   1.88300     40.76
6        ∞      0
7(絞り)  ∞      0.3052
8       5.2193   1.3688   1.77250     49.60
9      -4.3467   0.1020
10        ∞      1.0204   1.52100     65.13
11        ∞      0.1361
12       2.5755   1.6909   1.58913     61.14
13      -2.0613   0.5201   1.95906     17.47
14     -13.8236   0.6296
15        ∞      0.5952   1.51633     64.14
16        ∞      0.0170   1.51300     64.00
17        ∞      0.6803   1.61062     50.49
18       0
(像面)
各種データ
ＩＨ       0.881
ω        59.74
Ｆｎｏ     3.569
【０２３９】
以下、実施例１〜実施例１５に係る対物光学系における条件式（１）〜（９）の数値を示す。
実施例１    実施例２    実施例３    実施例４    実施例５
(1)fF/f     -1.553      -1.528      -1.468      -1.675      -1.675
(2)fR/f      2.062       2.056       2.069       2.108       2.108
(3)|fF/fR|  -0.753      -0.743      -0.709      -0.794      -0.794
(4)D1/f      3.166       3.179       3.139       2.946       2.946
(5)D2/f      1.274       1.217       1.395       1.535       1.535
(6)D1/D2     2.486       2.613       2.25        1.92        1.92
(7)f3/f2      3.008       2.962       2.681       2.55        2.55
(8)|Rc|/f    1.561       1.629       1.493       1.639       1.639
(9)TW     -10.032     -10.411     -10          -7.365      -7.59
実施例６    実施例７    実施例８    実施例９    実施例１０
(1)fF/f     -1.583      -1.591      -1.623      -1.59       -1.783
(2)fR/f      2.163       2.179       2.08        2.16        2.457
(3)|fF/fR|  -0.732      -0.73       -0.78       -0.736      -0.726
(4)D1/f      3.307       3.385       3.361       3.320       3.96
(5)D2/f      1.362       1.372       1.356       1.361       1.4
(6)D1/D2     2.428       2.467       2.478       2.440       2.829
(7)f3/f2      2.612       2.673       2.555       2.601       1.996
(8)|Rc|/f    1.649       1.644       1.666       1.649       2.032
(9)TW      -9.433      -9.563     -10.863      -9.529      -7.277
実施例１１  実施例１２  実施例１３  実施例１４  実施例１５
(1)fF/f     -1.847      -1.853      -1.482      -1.598      -1.742
(2)fR/f      2.395       2.382       1.927       2.159       2.37
(3)|fF/fR|  -0.771      -0.778      -0.769      -0.74       -0.735
(4)D1/f      3.975       3.976       2.866       3.217       3.792
(5)D2/f      1.408       1.415       1.28        1.409       1.456
(6)D1/D2     2.822       2.81        2.239       2.284       2.605
(7)f3/f2      1.733       1.705       2.973       2.115       2.125
(8)|Rc|/f    1.698       1.693       1.256       1.19        2.061
(9)TW      -8.003      -8.17      -11.235      -9.216      -8.876
実施例１    実施例２    実施例３    実施例４    実施例５
f            1           1           1           1           1
fF           -1.553      -1.528      -1.468      -1.675      -1.675
fR            2.062       2.056       2.069       2.108       2.108
D1           3.166       3.179       3.139       2.946       2.946
D2           1.274       1.217       1.395       1.535       1.535
f2            2.779       2.848       2.916       2.608       2.608
f3            8.358       8.438       7.818       6.652       6.652
Rc           -1.561      -1.629      -1.493      -1.639      -1.639
実施例６    実施例７    実施例８    実施例９    実施例１０
f            1           1           1           1           1
fF           -1.583      -1.591      -1.623      -1.59       -1.783
fR            2.163       2.179       2.08        2.16        2.457
D1           3.307       3.385       3.361       3.320       3.96
D2           1.362       1.372       1.356       1.361       1.4
f2            2.93        2.954       2.878       2.932       3.373
f3            7.655       7.896       7.355       7.625       6.734
Rc           -1.649      -1.644      -1.666      -1.649      -2.032
実施例１１  実施例１２  実施例１３  実施例１４  実施例１５
f            1           1           1           1           1
fF           -1.847      -1.853      -1.482      -1.598      -1.742
fR            2.395       2.382       1.927       2.159       2.37
D1           3.975       3.976       2.866       3.217       3.792
D2           1.408       1.415       1.28        1.409       1.456
f2            3.371       3.378       2.581       2.946       3.274
f3            5.841       5.758       7.673       6.229       6.957
Rc           -1.698      -1.693      -1.256      -1.19       -2.061
【０２４０】
図２２は、本実施形態の斜視対物光学系を用いた内視鏡装置の構成例である。内視鏡装置２０は、斜視用内視鏡２１（以下、「内視鏡２１」という）と、ビデオプロセッサ２２と、モニタ２３と、を備える。内視鏡２１は、挿入部２１ａと信号ケーブル２１ｂとを備える。挿入部２１ａ先端には、斜視対物光学系２４が配置されている。斜視対物光学系２４は、ここでは、前方視観察用の斜視対物光学系である。この斜視対物光学系２４には、実施例１〜１５のいずれかの斜視対物光学系が用いられる。
【０２４１】
また、ここでは図示していないが、この斜視対物光学系２４の近傍には、被写体２５を照明するための照明光学系が配置されている。この照明光学系は、光源と、照明光学素子と、光ファイバーバンドルと、を有する。光源としては、例えば、発光ダイオード（ＬＥＤ：Light  Emitting  Diode）やレーザダイオード（ＬＤ：Laser  Diode）の発光素子がある。照明光学素子としては、例えば、レンズ素子がある。レンズ素子は、照明光を拡散又は集光する機能を備えている。光ファイバーバンドルは、照明光を内視鏡２１に伝送する。
【０２４２】
また、内視鏡２１は信号ケーブル２１ｂを介して、ビデオプロセッサ２２に接続されている。斜視対物光学系２４によって結像された被写体２５の像は、撮像素子で撮像される。撮像された被写体２５の像は、ビデオプロセッサ２２に内蔵された電気回路系によって映像信号に変換される。映像信号に基づいて、モニタ２３上に被写体の画像２６が表示される。
【０２４３】
なお、このビデオプロセッサ２２の内部には、ＬＥＤ等の光源を駆動する電気回路系が設けられている。
【０２４４】
また、ＬＥＤやＬＤなどの発光素子を内視鏡２１内に設けることで、内視鏡２１の外部に光源を設ける必要がなくなる。さらに、これら発光素子を内視鏡２１の先端部に設けることで、照明光を伝送する光ファイバーバンドルを設ける必要がなくなる。
【０２４５】
さらに、光源については、キセノンランプやハロゲンランプ等を用いても良い。また、内視鏡装置２０では、光源を内蔵した光源装置がビデオプロセッサ２２と一体になっている。しかしながら、光源装置はビデオプロセッサ２２と別体に構成されていても良い。この場合、光源装置とビデオプロセッサ２２は、内視鏡２１と各々接続されることになる。
【０２４６】
以上の説明のように、本発明の斜視対物光学系によれば、組立性や内視鏡先端部への取り付け性を向上しながらも、多画素化と小型化がされた撮像素子に最適な高性能で小型な斜視対物光学系を提供することができる。更に、本発明の斜視対物光学系を用いることにより、高画質の画像が得られると共に、細径化された先端部を有する斜視用内視鏡を提供することができる。
【０２４７】
以上、本発明の種々の実施形態について説明したが、本発明は、これらの実施形態のみに限られるものではなく、その趣旨を逸脱しない範囲で、これら実施形態の構成を適宜組合せて構成した実施形態も本発明の範疇となるものである。
【０２４８】
（付記）
なお、これらの実施例から以下の構成の発明が導かれる。
（付記項１）
物体側から順に、負レンズからなる前側レンズ群と、光路変換素子と、明るさ絞りと、正の屈折力を有する後側レンズ群と、から構成され、
後側レンズ群は、正レンズと、正の屈折力を有する接合レンズと、からなり、
接合レンズは、物体側から順に、正レンズと負レンズとで構成され、
以下の条件式（１）、（２）、（３）を満足することを特徴とする斜視対物光学系。
−２．０＜ｆF／ｆ＜−１．３      （１）
１．７＜ｆR／ｆ＜２．７      （２）
０．６３＜｜ｆF／ｆR｜＜０．８８      （３）
ここで、
ｆFは、前側レンズ群の焦点距離、
ｆRは、後側レンズ群の焦点距離、
ｆは、斜視対物光学系全系の焦点距離、
である。
【０２４９】
（付記項２）
以下の条件式（４）、（５）を満足することを特徴とする付記項１に記載の斜視対物光学系。
２．４＜Ｄ１／ｆ＜４．４      （４）
１．１＜Ｄ２／ｆ＜１．７      （５）
ここで、
Ｄ１は、前側レンズ群の負レンズの像側面から明るさ絞りまでの空気換算長、
Ｄ２は、後側レンズ群の最終レンズの像側面から像面までの空気換算長、
ｆは、斜視対物光学系全系の焦点距離、
である。
【０２５０】
（付記項３）
以下の条件式（６）を満足することを特徴とする付記項１又は付記項２に記載の斜視対物光学系。
１．７＜Ｄ１／Ｄ２＜３．１      （６）
ここで、
Ｄ１は、前側レンズ群の負レンズの像側面から明るさ絞りまでの空気換算長、
Ｄ２は、後側レンズ群の最終レンズの像側面から像面までの空気換算長、
である。
【０２５１】
（付記項４）
以下の条件式（７）を満足することを特徴とする付記項１から３のいずれか１項に記載の斜視対物光学系。
１．５＜ｆ3／ｆ2＜３．１      （７）
ここで、
ｆ2は、後側レンズ群の正レンズの焦点距離、
ｆ3は、後側レンズ群の接合レンズの焦点距離、
である。
【０２５２】
（付記項５）
以下の条件式（８）を満足することを特徴とする付記項１から４のいずれか１項に記載の斜視対物光学系。
１．１＜|Ｒc|／ｆ＜２．１      （８）
ここで、
Ｒcは、後側レンズ群の接合レンズの接合面の曲率半径、
ｆは、斜視対物光学系全系の焦点距離、
である。
【０２５３】
（付記項６）
以下の条件式（９）を満足することを特徴とする付記項１から５のいずれか１項に記載の斜視対物光学系。
−１７°＜ＴＷ＜０°      （９）
ここで、
ＴＷは、最大像高時の像面への光線入射角度、
である。
【０２５４】
（付記項７）
付記項１から６のいずれか１項に記載の斜視対物光学系を備えることを特徴とする斜視用内視鏡。
【産業上の利用可能性】
【０２５５】
以上のように、本発明は、組立てや内視鏡先端部への取り付けを高精度且つ容易に行えると共に、高性能で小型な斜視対物光学系に有用である。また、高画質の画像が得られると共に、細径化された先端部を有する斜視用内視鏡に有用である。
【符号の説明】
【０２５６】
ＧＦ  前側レンズ群
ＧＲ  後側レンズ群
Ｌ１、Ｌ２、Ｌ３、Ｌ４  レンズ
Ｓ  明るさ絞り
Ｐ  プリズム
Ｆ１、Ｆ２  フィルタ
ＧＬ  ガラスリッド
ＣＧ  カバーガラス
Ｉ  像面
１、５、９  斜視対物光学系
２、６、１０  前側レンズ群
３、７、１１  プリズム
４、８、１２  後側レンズ群
１３、１４、１６  枠部材
１３ａ、１３ｂ、１４ａ、１４ｂ、１６ａ  嵌合部
１５  撮像素子
１７、１８  斜視対物光学系
２０  内視鏡装置
２１  斜視用内視鏡
２２  ビデオプロセッサ
２３  モニタ
２４  斜視対物光学系
２５  被写体
２６  被写体の画像
【要約】
斜視対物光学系は、物体側から順に、負レンズからなる前側レンズ群ＧＦと、光路変換素子Ｐと、明るさ絞りＳと、正の屈折力を有する後側レンズ群ＧＲと、から構成され、後側レンズ群ＧＲは、正レンズＬ２と、正の屈折力を有する接合レンズと、からなり、接合レンズは、物体側から順に、正レンズＬ３と負レンズＬ４とで構成され、以下の条件式（１）、（２）、（３）を満足する。
−２．０＜ｆF／ｆ＜−１．３      （１）
１．７＜ｆR／ｆ＜２．７      （２）
０．６３＜｜ｆF／ｆR｜＜０．８８      （３）
ただし、
ｆFは、前側レンズ群の焦点距離、
ｆRは、後側レンズ群の焦点距離、
ｆは、斜視対物光学系全系の焦点距離、
である。【図１】
0006001227.tif 000002
【図２】
0006001227.tif 000003
【図３】
0006001227.tif 000004
【図４】
0006001227.tif 000005
【図５】
0006001227.tif 000006
【図６】
0006001227.tif 000007
【図７】
0006001227.tif 000008
【図８】
0006001227.tif 000009
【図９】
0006001227.tif 000010
【図１０】
0006001227.tif 000011
【図１１】
0006001227.tif 000012
【図１２】
0006001227.tif 000013
【図１３】
0006001227.tif 000014
【図１４】
0006001227.tif 000015
【図１５】
0006001227.tif 000016
【図１６】
0006001227.tif 000017
【図１７】
0006001227.tif 000018
【図１８】
0006001227.tif 000019
【図１９】
0006001227.tif 000020
【図２０】
0006001227.tif 000021
【図２１】
0006001227.tif 000022
【図２２】
0006001227.tif 000023